(57)【特許請求の範囲】
【請求項１】
設定者識別子とモードと時間帯と周期とを含むレコードが設定されるタイマーと、
（１）スリープ状態への移行時間が異なる複数の省エネモードの優先順位を定めた省エネモード優先順位、（２）印刷部の使用が競合した場合に少なくともファクシミリ、コピー、プリントの実行順を定めた複数の印刷モードの優先順位を定めた印刷モード優先順位、（３）前記設定者識別子に対応した権限の優先順位、及び（４）モードに移行する時間帯の周期が長周期であるほど優先順位が高くなるように設定された周期の優先順位が格納される記憶手段と、
前記タイマーの設定において、前記省エネモードまたは前記印刷モードであるモードの種別が互いに同一であり且つ前記時間帯とその周期とにより定まる実時間帯が互いに同一であるレコードが複数存在することにより、選択が互いに排他的なレコードである場合、前記省エネモード優先順位または前記印刷モード優先順位に基づいて前記複数のレコードのうちの１つを許可状態にし、前記１つが定まらない場合には、前記権限の優先順位及び前記周期の優先順位のうちの一方に基づいて前記複数のレコードのうちの１つを許可状態にし、さらに前記１つが定まらない場合には前記権限の優先順位及び前記周期の優先順位のうちの他方に基づいて前記複数のレコードのうちの１つを許可状態にする許可処理部と、
前記許可状態のレコードについて、前記許可状態のレコードで定義された時間帯において前記許可状態のレコードで定義された前記モードを実行させる制御手段と、
を有することを特徴とする画像形成装置。
【請求項２】
前記記憶手段にはさらに、前記権限の優先順位と前記周期の優先順位とのいずれを優先的に適用するかを定める項目優先順位が格納されており、
前記許可処理部は、前記項目優先順位に基づいて前記権限の優先順位と前記周期の優先順位とのいずれを先に適用するかを決定する、
ことを特徴とする請求項１に記載の画像形成装置。
【請求項３】
前記印刷モードとしてさらに、印刷禁止モードを含むことを特徴とする請求項１又は２に記載の画像形成装置。
【請求項４】
前記タイマーは、レコード毎に論理和の設定を受け付け、
前記許可処理部による処理の完了に応答して、論理和が設定された同種の前記モードの複数レコード毎に、１つのレコードが許可状態にされていれば、他の残りのレコードも許可状態にして前記許可状態のレコードで定義された時間帯と一部が重複する時間帯が定義されたレコードについては、重複しない部分だけ、そのレコードで定義された前記モードを実行し、さらに、前記複数のレコードの時間帯が重なり合っている場合には、前記許可処理部により優先順位が低い方と判定された方のレコードの時間帯を短縮して両時間帯が重ならないよう連続させる論理処理部、
をさらに有することを特徴とする請求項１乃至３のいずれか１つに記載の画像形成装置。
【発明の詳細な説明】
【技術分野】
【０００１】
本発明は、タイマーの設定に基づきモード、例えば省エネモードや印刷モードなどを変化させる画像形成装置に関する。
【背景技術】
【０００２】
画像形成装置としての複合機では、複写機能、ＦＡＸ機能及びプリンタ機能のそれぞれで印刷部を使用するので、これらの機能の使用について競合が生ずる場合がある。競合が生じた場合、時間帯によって、好ましい機能実行順が異なる。そこで、下記特許文献１では、時間帯に応じて機能実行の優先順位を設定しておき、その競合関係を調整している。
【０００３】
また、下記特許文献２では、タイマーに設定される、画像形成装置の待機モードから省エネモードへの移行時間を、ジョブの待ち行列の統計的な結果を用いて自動的に決定する構成が開示されている。
【先行技術文献】
【特許文献】
【０００４】
【特許文献１】特開平８−１１６３９０号公報
【特許文献２】特開２０１２−０１９２７５号公報
【発明の概要】
【発明が解決しようとする課題】
【０００５】
ここで例えば、通常は上記移行時間が１０分である第１の省エネモードにしておき、将来の特定日については利用頻度が高くなるためこの移行時間が２０分である第２の省エネモードに設定したい場合がある。この特定日には第１の省エネモードを手動で解除することなく第２の省エネモードが自動選択されるようにできれば、便利である。また、管理者による一般的な設定が該１０分である場合に、ある期間において利用頻度が高くなるためユーザが該設定を２０分にしたい場合がある。この期間には第１の省エネモードを手動で解除することなく第２の省エネモードが自動選択されるようにできれば、便利である。
【０００６】
しかしながら、上記特許文献１、２のいずれにも、互いに排他的な複数の設定を予めしておき、所定のルールで自動的に設定の選択対象を切り替える構成については開示されていない。
【０００７】
本発明の目的は、このような問題点に鑑み、互いに排他的な複数の設定が存在しても、所定のルールで自動的に設定の選択対象を切り替えることが可能な画像形成装置を提供することにある。
【課題を解決するための手段】
【０００８】
本発明による画像形成装置の第１態様では、設定者識別子とモードと時間帯と周期とを含むレコードが設定されるタイマーと、（１）スリープ状態への移行時間が異なる複数の省エネモードの優先順位を定めた省エネモード優先順位、（２）印刷部の使用が競合した場合に少なくともファクシミリ、コピー、プリントの実行順を定めた複数の印刷モードの優先順位を定めた印刷モード優先順位、（３）前記設定者識別子に対応した権限の優先順位、及び（４）モードに移行する時間帯の周期が長周期であるほど優先順位が高くなるように設定された周期の優先順位が格納される記憶手段と、前記タイマーの設定において、前記省エネモードまたは前記印刷モードであるモードの種別が互いに同一であり且つ前記時間帯とその周期とにより定まる実時間帯が互いに同一であるレコードが複数存在することにより、選択が互いに排他的なレコードである場合、前記省エネモード優先順位または前記印刷モード優先順位に基づいて前記複数のレコードのうちの１つを許可状態にし、前記１つが定まらない場合には、前記権限の優先順位及び前記周期の優先順位のうちの一方に基づいて前記複数のレコードのうちの１つを許可状態にし、さらに前記１つが定まらない場合には前記権限の優先順位及び前記周期の優先順位のうちの他方に基づいて前記複数のレコードのうちの１つを許可状態にする許可処理部と、前記許可状態のレコードについて、前記許可状態のレコードで定義された時間帯において前記許可状態のレコードで定義された前記モードを実行させる制御手段とを有する。
【０００９】
本発明による画像形成装置の第２態様では、第１態様において、前記記憶手段にはさらに、前記権限の優先順位と前記周期の優先順位とのいずれを優先的に適用するかを定める項目優先順位が格納されており、前記許可処理部は、前記項目優先順位に基づいて前記権限の優先順位と前記周期の優先順位とのいずれを先に適用するかを決定する。
【００１２】
本発明による画像形成装置の第３態様では、第１又は２態様において、前記印刷モードとしてさらに、印刷禁止モードを含む。
【００１３】
本発明による画像形成装置の第４態様では、第１乃至３態様のいずれか１つにおいて、前記タイマーは、レコード毎に論理和の設定を受け付け、前記許可処理部による処理の完了に応答して、論理和が設定された同種の前記モードの複数レコード毎に、１つのレコードが許可状態にされていれば、他の残りのレコードも許可状態にして前記許可状態のレコードで定義された時間帯と一部が重複する時間帯が定義されたレコードについては、重複しない部分だけ、そのレコードで定義された前記モードを実行し、さらに、前記複数のレコードの時間帯が重なり合っている場合には、前記許可処理部により優先順位が低い方と判定された方のレコードの時間帯を短縮して両時間帯が重ならないよう連続させる論理処理部、をさらに有する。
【発明の効果】
【００１４】
上記第１態様の構成によれば、タイマーの設定においてモードの種別が互いに同一であり且つ時間帯とその周期とにより定まる実時間帯が互いに同一であるレコードが複数存在することにより、選択が互いに排他的なレコードである場合、前記モードの種別で定まる優先順位に基づいて前記複数のレコードのうちの１つを許可状態にし、前記１つが定まらない場合には権限の優先順位及び周期の優先順位のうちの一方に基づいて前記複数のレコードのうちの１つを許可状態にし、さらに前記１つが定まらない場合には他方に基づいて前記複数のレコードのうちの１つを許可状態にするので、互いに排他的な複数の設定が存在しても、ユーが望むこれらの優先順位に基づいて自動的に、複数の設定の１つを選択可能となるという効果を奏する。
また、種別が互いに同一の複数の省エネルギーモードのそれぞれを含むので、将来の使用予定の変化に応じて省エネルギーモードを自動的に切り替えることが可能となるという効果を奏する。
また、将来の使用予定の変化に応じて印刷モードを自動的に切り替えることが可能となるという効果を奏する。
【００１５】
上記第２態様の構成によれば、複数の優先順位の優先順位をユーが望むように設定できるので、より適切に、複数の設定の１つを選択可能となるという効果を奏する。
【００１８】
上記第３態様の構成によれば、将来の使用予定の変化に応じて、印刷禁止モードも含めた印刷モードを自動的に切り替えることが可能となるという効果を奏する。
【００１９】
上記第４態様の構成によれば、選択が互いに排他的で本来選択されないなレコードの内容の一部が有効利用されるので、ユーザのより詳細な希望に応える事ができるという効果を奏する。
【００２０】
本発明の他の目的、特徴的な構成及び効果は、以下の説明を特許請求の範囲及び図面の記載と関係づけて読むことにより明らかになる。 
【図面の簡単な説明】
【００２１】
【図１】本発明の実施例１に係る画像形成装置のハードウェア構成を示す概略ブロック図である。
【図２】この画像形成装置内のソフトウェアとハードウエアの協働による、タイマーを用いた状態制御の構成を示す概略ブロック図である。
【図３】（Ａ）及び（Ｂ）はそれぞれ省エネモード優先順位テーブル及び印刷モード優先順位テーブルの構成図である。
【図４】（Ａ）〜（Ｄ）はそれぞれ項目優先順位テーブル、設定者権限テーブル、権限優先順位テーブル及び周期優先順位テーブルの構成図である。
【図５】図２中の許可処理部による処理を示す概略フローチャートである。
【図６】（Ａ）〜（Ｄ）はいずれも、図５による処理の説明図である。
【図７】本発明の実施例２に係る、タイマーを用いた状態制御の構成の一部を示す概略ブロック図である。
【実施例１】
【００２２】
図１は、本発明の実施例１に係る画像形成装置１０のハードウェア構成を示す概略ブロック図である。
【００２３】
画像形成装置１０では、ＣＰＵ１１がインターフェイス１２を介してＰＲＯＭ１３、ＤＲＡＭ１４、補助記憶装置１５、ネットワークインターフェイス１６、操作パネル１７、スキャナ１８、プリンタ１９、ＩＣカードリーダ２０、ファックスモデム２１及びＲＴＣ（リアルタイムクロック）２２に結合されている。図１では、簡単化の為に、複数種のインターフェイスを１つのブロック１２で表している。
【００２４】
ＰＲＯＭ１３は、例えばフラッシュメモリであり、ＢＩＯＳ（Basic Input/Output System）、ＯＳ（Operating System）、各種ドライバ、及び、画像形成装置として機能させるための各種アプリケーションが格納されている。ＤＲＡＭ１４は、主記憶装置として用いられる。補助記憶装置１５には、印刷用データ、スキャナ１８で読み取った画像データ及びファクシミリ受信データが保存される。操作パネル１７は、入力部及び表示部を供えている。スキャナ１８は、画像ファイル生成のために用いられ、このファイルは印刷、ファクシミリ送信又はファイル送信のために用いられる。プリンタ１９は、プリントエンジン並びに用紙の給紙部、搬送部及び排紙部を備え、ＤＲＡＭ１４に生成されたビットマップデータが供給され、このデータに基づいて感光ドラムに静電潜像を形成し、この像をトナーで現像し、トナー像を用紙に転写し定着させ、排紙する。ＩＣカードリーダ２０は、電波を介してＩＣカードと通信することにより、管理者又はユーザを認証するためのものである。ＲＴＣ２２は、タイマーの構成要素であり、現在の時刻を年月日及び曜日も含めて出力する。
【００２５】
図２は、上記画像形成装置１０内のソフトウェアとハードウエアの協働による、タイマーを用いた状態制御の構成を示す概略ブロック図である。
【００２６】
タイマー設定テーブルＴ０のレコードには、設定順を示すＮｏ、設定者ＩＤ、モード、このモードにされる時間帯を定める開始日及びその開始時並びに終了日及びその終了時、この時間帯の周期、すなわち毎日、毎週、毎年又は特定年（周期無し）の区別が設定される。
【００２７】
以下、複数のレコードについて選択が互いに排他的とは、モードの種別が互いに同一で、時間帯と周期により定まる実時間帯（年月日まで含めた時間帯）が互いに同日のものに関する部分のみであり、互いに異なる日の設定の部分については、排他的ではない。
【００２８】
タイマー設定テーブルＴ０には、選択が互いに排他的なモードのレコードを複数含ませることができる。
【００２９】
例えば図３（Ａ）の省エネモード優先順位テーブルＴ１に示すように、省エネ１は、待機状態からスリープ状態への移行時間が１０分に設定されたモードであり、省エネ２は、この移行時間が２０分に設定されたモードであり、これらについて選択が互いに排他的である（競合する）が、これらを同時にタイマー設定テーブルＴ０に含ませることができる。ユーザはテーブルＴ１内のモードについて優先順位を設定することができる。
【００３０】
また、図３（Ｂ）の印刷モード優先順位テーブルＴ２に示すように、印刷禁止は、ファクシミリ、コピー及びプリントのそれぞれについて印刷を禁止するモードであり、印刷１は、印刷部の使用が競合した場合に優先順がファクシミリ、コピー及びプリントの順であるモードであり、印刷２は該優先順がコピー、ファクシミリ及びプリントの順であるモードであり、これらについて選択が互いに排他的であるが、これらを同時にタイマー設定テーブルＴ０に含ませることができる。ユーザはテーブルＴ２内のモードについて優先順位を設定することができる。
【００３１】
省エネモード優先順位テーブルＴ１内のモードは互いに同種モードであり、印刷モード優先順位テーブルＴ２内のモードは互いに同種モードであり、上記のようにそれぞれの同種モード内のモードについて選択が排他的であるが、両テーブル間のモードは、選択が互いに排他的ではなく、それぞれのテーブルから１つのモードを選択することができる。
【００３２】
また、同日に複数の同一モードが設定されている場合、そのうちの１つのみ選択するので、この場合も選択が互いに排他的となるが、これらを同時にタイマー設定テーブルＴ０に含ませることができる。
【００３３】
モード群３０には、上記モードが含まれており、モード群３０内のモードを選択状態にすることにより、画像形成装置１０がそのモードになる。
【００３４】
本日判定部３１は、ＲＴＣ２２の出力が丁度午前０時になったことに応答して、又は、タイマー設定テーブルＴ０の行が編集され若しくは新たなレコードが追加されたことに応答して、タイマー設定テーブルＴ０の各レコードにつき、開始時刻又は終了時刻が本日のものであれば本日該当列に２値の"ＹＥＳ"を設定し、そうでなければ本日該当列に２値の"ＮＯ"を設定する。
【００３５】
許可処理部３２は、前記"ＹＥＳ"が設定された複数のレコードについて後述のように、選択が互いに排他的であるモードがあれば、優先順位情報Ｔを参照してそれらのレコードのうち１つのみ許可列に"ＹＥＳ"を設定し、その他のものの許可列に"ＮＯ"を設定し、競合しないものについては許可列に"ＹＥＳ"を設定する。
【００３６】
一致検出部３３は、許可列が"ＹＥＳ"の各レコードについて、開示時刻又は終了時刻がＲＴＣ２２の出力と一致していればそのモード名及び開示時／終了時の区別を示す信号を出力し、モード選択部３４のキューに入れる。同時に複数の出力が有る場合、一致検出部３３はそれらをシリアルに出力して該キューに入れる。モード選択部３４は、このキュー内のモード名及び開示時／終了時の区別を順次取り出し、モード群３０内のそのモードを、開始時には選択状態にし、終了時には初期状態のモードにする。
【００３７】
図２において、タイマーは、タイマー設定テーブルＴ０、ＲＴＣ２２及び一致検出部３３で構成されている。ブロック３０〜３４はＣＰＵ１１がＰＲＯＭ内のプログラムにしたがって動作することにより機能する。テーブルＴ０〜Ｔ６はＰＲＯＭ１３に書き込まれる。モード群３０は例えば、それぞれのモードをその状態にさせるそれぞれのＡＰＩで構成される。
【００３８】
図４（Ａ）〜（Ｄ）は、タイマー設定テーブルＴ０内に互いに排他的なレコードが複数存在する場合にそれらのうちの１つのみ選択するためのテーブルであって、それぞれ項目優先順位テーブルＴ３、設定者権限テーブルＴ４、権限優先順位テーブルＴ５及び周期優先順位テーブルＴ６を示す。
【００３９】
設定者権限テーブルＴ４には、設定者ＩＤ毎に権限が設定されている。ユーザは、権限優先順位テーブルＴ５内の権限について優先順位を設定することができる。この例では、管理者がモードを一般的に設定しユーザが特殊事情に応じてモードを設定することを考慮して、ユーザ権限の順位を管理者権限のそれよりも高くすることにより、業務がより円滑に行われるようにしている。しかし、場合によっては、ユーザよりも管理者の順位を高くする（小さい値にする）ことにより、統制を強化することができる。
【００４０】
ユーザは、周期優先順位テーブルＴ６内の周期について優先順位を設定することができる。この例では、周期無し、年、週及び日の周期の順に優先順位を定めることにより、より長周期（より特殊）であるほど、優先順位が高くなるように設定して、業務がより円滑に行われるようにしている。
【００４１】
項目優先順位テーブルＴ３は、権限優先順位テーブルＴ５と周期優先順位テーブルＴ６のいずれを先に適用するかの優先順位を定めている。この例では、まず、権限優先順位テーブルＴ５に基づいて、競合するレコードのいずれを選択するかを決定し、優先順位が同一であるため１つのレコードのみ選択することができなかった場合には次に、周期優先順位テーブルＴ６に基づいて、競合するレコードのいずれを選択するかを決定することを示している。すなわち、周期よりも権限を重視している。しかし、場合によっては、逆の方がより好ましいこともある。
【００４２】
図５は、図２中の許可処理部３２による処理を示す概略フローチャートである。処理対象は、タイマー設定テーブルＴ０上の本日該当の列が"ＹＥＳ"であるレコードの全てであり、そのうち、Ｎｏ、設定者ＩＤ、モード及び周期の列を用いて、各種別のモード群から単一レコードを選択し、その許可列に"ＹＥＳ"を設定し、他のレコードの許可列に"ＮＯ"を設定する。以下、括弧内は図５中のステップ識別符号である。
【００４３】
（Ｓ０）処理対象レコードを、モードの種別で分類する。図６（Ａ）〜（Ｄ）はそれぞれ、左側と右側にレコードが分類されていることを示す。図６（Ａ）〜（Ｄ）中の○印又は●印はそれぞれ１つのレコードを表している。例えば図６（Ａ）は、３つの処理対象レコードについて、モードが省エネ１と省エネ２のレコード種別と、モードが印刷２のレコード種別とに分類されていることを示す。それぞれの種別について、以下の処理により、１つのレコードが選択される。
【００４４】
（Ｓ１）同種モード内に属するレコードが単一であれば、ステップＳ２へ進み、そうでなければＳ３へ進む。
【００４５】
（Ｓ２）この単一レコードは、選択が他のものと排他的でないので、その許可列に"ＹＥＳ"を設定する。以下、このレコードを除いたものを処理対象レコードとする。
【００４６】
以下、モードの種別毎に（処理対象レコードをその種別にして）、ステップＳ３〜Ｓ１０の処理を行う。
【００４７】
（Ｓ３）モードの種別を選択する。
【００４８】
（Ｓ４）異なるモードのレコードが複数含まれていれば（例えば図６（Ｂ）の左側の場合）、ステップＳ５へ進み、そうでなければ（例えば図６（Ｂ）の右側の場合）ステップＳ１２へ進む。
【００４９】
（Ｓ５）同一モードのレコードが複数含まれていれば（例えば図６（Ｃ）又は（Ｄ）の左側の場合）、ステップＳ６へ進み、そうでなければステップＳ８へ進む。
【００５０】
（Ｓ６、Ｓ７）以下の処理を簡単化するため、同一モードの複数レコードを、そのうちの任意の１つのみにし、それにマークを付ける。
【００５１】
（Ｓ８）この種別に対応したテーブルＴ１又はＴ２を参照し、優先順位が一番高いモードのレコードを選択する。ステップＳ６、Ｓ７の処理により、このレコードは１つである。
【００５２】
（Ｓ９）このレコードにステップＳ７でのマークが付けられていれば（例えばステップＳ５において図６（Ｄ）の左側であった場合）、ステップＳ１１へ進み、そうでなければ（例えばステップＳ５において図６（Ｃ）の左側であった場合）、ステップＳ１０へ進む。
【００５３】
（Ｓ１０）各種別について処理が終わっていれば図５の処理を終了し、そうでなければＳ３へ戻る。
【００５４】
（Ｓ１１）マークが付けられているレコードを、これと同一モードの、ステップＳ６での複数レコードにする。例えばステップＳ５において図６（Ｄ）の左側であった場合、省エネ２のモードの２つのレコードにする。以下、処理対象は１つのモードの複数レコードである。
【００５５】
（Ｓ１２）ｉに初期値０を代入する。ｉ＝０は権限優先順位テーブルＴ５に対応し、ｉ＝１は周期優先順位テーブルＴ６に対応する。
【００５６】
（Ｓ１３）ｉ＜２であればステップＳ１４へ進み、そうでなければステップＳ２２へ進む。
【００５７】
（Ｓ１４）項目優先順位テーブルＴ３の項目（ｉ）が権限であればステップＳ１５へ進み、周期であればステップＳ１９へ進む。
【００５８】
（Ｓ１５）該複数レコードの各設定者ＩＤｊの権限を、設定者権限テーブルＴ４を参照して決定し、これをＸｊとする。
【００５９】
（Ｓ１６）該複数レコードについて、各Ｘｊの値が互いに同一であればステップＳ１８へ進み、そうでなければステップＳ１７へ進む。
【００６０】
（Ｓ１７）権限優先順位テーブルＴ５を参照し、優先順位が最も高い権限を持つ設定者ＩＤのレコードの許可列に"ＹＥＳ"を設定し、モードがこのレコードの種別の他の各レコードに"ＮＯ"を設定し、ステップＳ１０へ進む。
【００６１】
（Ｓ１８）ｉの値を１だけインクリメントし、ステップＳ１３へ戻る。
【００６２】
（Ｓ１９）該複数レコードの各周期をＸｊとする。
【００６３】
（Ｓ２０）該複数レコードについて、各Ｘｊの値が互いに同一であればステップＳ１８へ進み、そうでなければステップＳ２１へ進む。
【００６４】
（Ｓ２１）周期優先順位テーブルＴ６を参照し、周期の優先順位が最も高いもののレコードを選択し、その許可列に"ＹＥＳ"を設定し、モードがこのレコードの種別の他の各レコードに"ＮＯ"を設定し、ステップＳ１０へ進む。
【００６５】
（Ｓ２２）該複数レコードについて、ナンバーＮｏの最も小さいレコードの許可列に"ＹＥＳ"を設定し、モードがこのレコードの種別の他の各レコードに"ＮＯ"を設定し、ステップＳ１０へ進む。
【００６６】
図６（Ａ）〜（Ｄ）中の○印及び●印はそれぞれ、以上の処理により許可列に"ＮＯ"及び"ＹＥＳ"が設定されたレコードを表している。
【００６７】
本実施例１によれば、タイマー設定テーブルＴ０上に、互いに同種の異なるモードについて同日動作予定のレコードが複数設定されている場合、モードで定まる省エネモード優先順位テーブルＴ１又は印刷モード優先順位テーブルＴ２に基づいて優先順位が最も高い１つのレコードを選択し、選択できなかった場合、項目優先順位テーブルＴ３に基づいて権限優先順位テーブルＴ５と周期優先順位テーブルＴ６の何れを先に用いるかを決定し、その結果である一方のテーブルに基づいて１つの許可レコードを選択し、選択できなかった場合には他方のテーブルを用いて１つの許可レコードを選択するので、互いに排他的な複数の設定が存在しても、ユーが望むこれらの優先順位テーブルに基づいて複数の設定の１つが選択され、より適切なモードを自動選択することが可能となるという効果を奏する。
【実施例２】
【００６８】
上記実施例１では、例えば省エネモード１と省エネモード２が同日について設定されている場合、優先順位の最も高い１つのレコードのみが選択され、他は選択されない。しかし、場合によっては、同種モードのうち２つ以上を時間帯が互いに重ならないように選択してそれぞれによる効果を得たい場合がある。
【００６９】
そこで、本実施例２では、図６（Ａ）に示すように、タイマー設定テーブルＴ０Ａに論理列を新たに設け、論理処理部４０でこれを処理している。
【００７０】
図７（Ａ）のタイマー設定テーブルＴ０Ａは、論理処理部４０による処理前且つ図２の許可処理部３２による処理完了後の状態を示す。図７（Ｂ）のタイマー設定テーブルＴ０Ａは、論理処理部３２による処理完了後の状態を示す。
【００７１】
図７（Ｂ）に示すようにＯＲが設定されている場合、論理処理部４０は、同種モード毎に、所定時点でＯＲ処理を行う。すなわち、論理処理部４０は、図２の許可処理部３２による処理完了に応答して、ＯＲが設定された同種モードの複数レコード毎に、１つの許可列が"ＹＥＳ"に設定されていれば、他のレコードも"ＹＥＳ"に設定する。さらに、これらのレコードの時間帯が重なり合っている場合には、許可処理部３２により優先順位が低い方と判定された方（同一の場合はＮｏの大きい方）のレコードの時間帯を短縮して両時間帯が重ならないよう連続させる。
【００７２】
他の点は、実施例１と同一である。
【００７３】
本実施例２によれば、選択が互いに排他的で本来選択されないなレコードの内容の一部が有効利用されるので、ユーザのより詳細な要望に応える事ができるという効果を奏する。
【００７４】
以上において、本発明の好適な実施例を説明したが、本発明には他にも種々の変形例が含まれ、上記実施例で述べた各構成要素の機能を実現する他の構成を用いたもの、当業者であればこれらの構成又は機能から想到するであろう他の構成も、本発明に含まれる。
【００７５】
例えば、論理列にＮＯＴを設定できるようにし、この場合、１日のうち設定されている時間帯の残りの時間帯（補集合）をそのモードにする構成であってもよい。
【００７６】
また、モードとして、上記印刷禁止モードと同様に送信禁止モードを設定できるようにしてもよい。
【００７７】
さらに、図２中のテーブル内の本日該当欄及び許可欄は、メモリ上でデータであってもよく、また、本日判定部３１は、一致検出部３３が開始時又は終了時の各一致を検出した後に処理を行う構成であってもよい。
【符号の説明】
【００７８】
１０  画像形成装置
１１  ＣＰＵ
１２  インターフェイス
１３  ＰＲＯＭ
１４  ＤＲＡＭ
１５  補助記憶装置
１６  ネットワークインターフェイス
１７  操作パネル
１８  スキャナ
１９  プリンタ
２０  ＩＣカードリーダ
２１  ファックスモデム
２２  ＲＴＣ
３０  モード群
３１  本日判定部
３２  許可処理部
３３  一致検出部
３４  モード選択部
４０  論理処理部
Ｔ  優先順位情報
Ｔ０、Ｔ０Ａ  タイマー設定テーブル
Ｔ１  省エネモード優先順位テーブル
Ｔ２  印刷モード優先順位テーブル
Ｔ３  項目優先順位テーブル
Ｔ４  設定者権限テーブル
Ｔ５  権限優先順位テーブル
Ｔ６  周期優先順位テーブル
【図１】
0005823343.tif 000002
【図２】
0005823343.tif 000003
【図３】
0005823343.tif 000004
【図４】
0005823343.tif 000005
【図５】
0005823343.tif 000006
【図６】
0005823343.tif 000007
【図７】
0005823343.tif 000008